(57)【要約】      （修正有）【課題】低コストで、色柄の変化に富み、複数の色の階調を持たせた柄や文字などを含む図柄が、垂れ房部に奇麗に表現された飾り房を提供する。【解決手段】組紐１１と、組紐１１の下端に設けられた止め具２１と、止め具２１に保持された垂れ房部３１とを備えた飾り房１０において、垂れ房部３１が、芯糸に所定長さの撚り糸を多数往復編成して所定幅に形成された房糸部３４からなり、房糸部３４を帯状に広げた状態の両面に、インクジェット式印刷装置によりグラデーション模様を含む図柄が印刷されて、撚り糸の外周に着色が施されている。【選択図】図１
0003153198.tif 000002
【実用新案登録請求の範囲】
【請求項１】
組紐と、
該組紐の下端に設けられた止め具と、
該止め具に保持された垂れ房部とを備えた飾り房において、
前記垂れ房部が、芯糸に所定長さの撚り糸を多数往復編成して所定幅に形成された房糸部からなり、該房糸部を帯状に広げた状態の両面に、インクジェット式印刷装置により所定の図柄が印刷されて、前記撚り糸の外周に着色が施されているものであることを特徴とする飾り房。
【請求項２】
前記所定の図柄が、前記両面で一致するグラデーション模様、絵柄模様、又はグラデーション模様及び絵柄模様を含む図柄であることを特徴とする請求項１記載の飾り房。
【請求項３】
前記所定の図柄が、線対称に描かれた文字、絵柄模様、又は文字及び絵柄模様を含む図柄であり、
該図柄が印刷された前記房糸部を対称軸で折り返し重ねた状態で、前記止め具に保持されていることを特徴とする請求項１記載の飾り房。
【請求項４】
前記所定の図柄が、文字、絵柄模様、又は文字及び絵柄模様を並列に配置して描かれた図柄であり、
前記並列に配置して描かれた各図柄が重ね合わさるように、前記房糸部が前記止め具に巻き付けられていることを特徴とする請求項１記載の飾り房。
【考案の詳細な説明】
【技術分野】
【０００１】
本考案は飾り房に関し、より詳細には組紐と、該組紐の下端に設けられた止め具と、該止め具に保持された垂れ房部とを備えた飾り房に関する。
【背景技術】
【０００２】
従来より、組紐と、該組紐の下端に設けられた止め具と、該止め具に保持された垂れ房部とを備えた飾り房は、垂れ幕等の飾りや祭りの神輿や道具等の飾りとして使用されており、また近年では、車内等、様々な場所で利用されるアクセサリーやインテリア用の装飾品としても使用されている（例えば、下記の特許文献１参照）。
【０００３】
しかしながら、従来の飾り房は、予め所定の色に染色された糸を用いて垂れ房部が形成されているものが殆どであり、垂れ房部の意匠性が低く、染色（浸染）により垂れ房部に模様を施す方法も試みられたが、染色コストが高く付き、また、色柄を奇麗に表現することが難しいという問題があった。
【０００４】
ところで近年、パーソナルコンピュータとインクジェット式印刷装置とを用いて、コンピュータを用いて作成した図柄をＴシャツなどの布製品に印刷する技術が開発されている（例えば、下記の特許文献２、３参照）。
【０００５】
しかしながら、特許文献２、３に開示されている技術は、Ｔシャツなど、薄くて平坦な布製品に対するインクジェット印刷に関するものであって、飾り房の垂れ房部に適用される撚り糸、すなわち、直径が数ｍｍ程度と太く、かつ表面が凹凸形状となっている撚り糸を多数往復編成して形成された房糸部に対する印刷技術に関するものではなく、前記房糸部に対する印刷技術については、これまで検討されていなかった。
【先行技術文献】
【特許文献】
【０００６】
【特許文献１】実用新案登録第３０５７２１０号公報
【特許文献２】特開２００１−３３６０７３号公報
【特許文献３】特開平７−３３６４６６号公報
【課題を解決するための手段及びその効果】
【０００７】
本考案は上記課題に鑑みなされたものであって、飾り房に用いる房糸部に対する図柄の印刷技術を種々検討した結果、インクジェット式印刷装置をうまく利用すれば、低コストで、かつ房糸部を構成する各撚り糸の全周に綺麗に印刷が行えることを見出し、低コストで、色柄の変化に富み、複数の色の階調を持たせた柄や文字などを含む図柄が、垂れ房部に奇麗に表現された飾り房を提供することを目的としている。
【０００８】
上記目的を達成するために本考案に係る飾り房（１）は、組紐と、該組紐の下端に設けられた止め具と、該止め具に上端が保持された垂れ房部とを備えた飾り房において、前記垂れ房部が、芯糸に所定長さの撚り糸を多数往復編成して所定幅に形成された房糸部からなり、該房糸部を帯状に広げた状態の両面に、インクジェット式印刷装置により所定の図柄が印刷されて、前記撚り糸の外周に着色が施されているものであることを特徴としている。
【０００９】
上記飾り房（１）によれば、前記房糸部を帯状に広げた状態の両面に、インクジェット式印刷装置により所定の図柄が印刷されて、前記撚り糸の外周に着色が施されているものを前記垂れ房部に用いているので、低コストで、色柄の変化に富み、美しい色の階調を持たせた柄や文字などを含む柄が、前記垂れ房部に奇麗に表現された飾り房を提供することができる。
【００１０】
また本考案に係る飾り房（２）は、上記飾り房（１）において、前記所定の図柄が、前記両面で一致するグラデーション模様、絵柄模様、又はグラデーション模様及び絵柄模様を含む図柄であることを特徴としている。
【００１１】
上記飾り房（２）によれば、前記所定の図柄が、前記両面で一致するグラデーション模様、絵柄模様、又はグラデーション模様及び絵柄模様を含む図柄であるので、３６０度どの方向からでも、また、前記垂れ房部が揺れた状態であっても奥行き感のある綺麗なグラデーション模様（複数の色の階調を持たせた柄）や絵柄模様を見せることができ、意匠性を高めることができる。
【００１２】
また本考案に係る飾り房（３）は、上記飾り房（１）において、前記所定の図柄が、線対称に描かれた文字、絵柄模様、又は文字及び絵柄模様を含む図柄であり、該図柄が印刷された前記房糸部を対称軸で折り返し重ねた状態で、前記止め具に保持されていることを特徴としている。
【００１３】
上記飾り房（３）によれば、前記所定の図柄が、線対称に描かれた文字、絵柄模様、又は文字及び絵柄模様を含む図柄であり、該図柄が印刷された前記房糸部を対称軸で折り返し重ねた状態で、前記止め具に保持されているので、同じ図柄を一致させた状態で重ね合わせることができ、前記垂れ房部が揺れた状態であっても前記図柄に含まれる文字や絵柄模様の形が大きく崩れることなく、文字等の認識がしやすい垂れ房部とすることができる。
【００１４】
また本考案に係る飾り房（４）は、上記飾り房（１）において、前記所定の図柄が、文字、絵柄模様、又は文字及び絵柄模様を並列に配置して描かれた図柄であり、前記並列に配置して描かれた各図柄が重ね合わさるように、前記房糸部が前記止め具に巻き付けられていることを特徴としている。
【００１５】
上記飾り房（４）によれば、上記飾り房（３）と略同様に、同じ図柄を一致させた状態で重ね合わせることができ、前記垂れ房部が揺れた状態であっても前記図柄に含まれる文字や絵柄模様の形が大きく崩れることなく、文字等の認識がしやすい垂れ房部とすることができる。
【図面の簡単な説明】
【００１６】
【図１】本考案の実施の形態（１）に係る飾り房の全体を示した正面図である。
【図２】実施の形態（１）に係る飾り房の垂れ房部を構成する房糸部を広げた状態を模式的に示した図であり、（ａ）は印刷前の状態、（ｂ）は印刷後の状態を示している。
【図３】実施の形態（１）に係る飾り房の垂れ房部の印刷を行うための印刷システムの要部を概略的に示したブロック図である。
【図４】実施の形態（２）に係る飾り房の垂れ房部を示した正面図である。
【図５】実施の形態（２）に係る飾り房における房糸部の止め具への取り付け構造を説明するための図である。
【考案を実施するための形態】
【００１７】
以下、本考案に係る飾り房の実施の形態を図面に基づいて説明する。図１は、実施の形態（１）に係る飾り房の全体を示した正面図である。
図中１０は、飾り房を示しており、飾り房１０は、太紐からなる組紐１１と、組紐１１の下端に設けられた一対の止め具２１と、これら止め具２１に保持された一対の垂れ房部３１とを含んで構成されている。
【００１８】
組紐１１により、装飾結び１２とループ状に形成された釣輪１３とが組まれている。止め具２１は、擬宝珠型に形成されており、その上部球面部２２に金箔（図示せず）が貼着され、該金箔の上に編地（図示せず）が被嵌され、球面部２２下の括れ部２３に、垂れ房部３１の上端部が巻着されている。また止め具２１の略中央部分には、縦方向に貫通する孔（図示せず）が形成され、組紐１１の端部が挿通されて固着されている。なお、止め具２１の形状は、擬宝珠型に限定されるものではなく、傘型など種々の形状のものが採用され得る。
【００１９】
垂れ房部３１は、図２にも示しているように、芯糸３２に所定長さの撚り糸３３が多数往復編成されて形成された房糸部３４から構成されている。図２には、飾り房１０の垂れ房部３１を構成する房糸部３４を帯状に広げた状態を模式的に示しており、（ａ）は印刷前の状態、（ｂ）は印刷後の状態を示している。
【００２０】
図２（ａ）に示した房糸部３４を帯状に広げた状態の各面（両面）に、後述するインクジェット式印刷装置により所定の図柄（この場合、グラデーション模様を含む図柄）がインクジェット印刷され、各撚り糸３３の外周に着色が施されている。インクジェット印刷により、撚り糸３３表面の凹凸部分や側面の丸みを帯びた部分にもインクを略均一に付着・浸透させることが可能となっている。なお、撚り糸３３の直径は、飾り房１０の大きさによっても異なるが、撚り糸３３には、２０ｍｍ以下の直径のものを用いることができ、特に０．５ｍｍ〜１０ｍｍ程度の直径のものを用いるのが好ましい。
【００２１】
図３は、実施の形態（１）に係る飾り房１０の垂れ房部３１にインクジェット印刷を施すために使用される印刷システムの要部を概略的に示したブロック図である。
図中５０はパーソナルコンピュータ（以下、パソコンと記す）を示しており、パソコン５０は、ディスプレイ５１と、ハードディスクやＣＰＵなど（いずれも図示せず）が搭載されたコンピュータ本体５２と、キーボードなどの入力部５３とを含んで構成されている。
【００２２】
パソコン５０のコンピュータ本体５２は、インクジェット式印刷装置６０に接続されており、コンピュータ本体５２には、インクジェット式印刷装置６０を駆動させるためのプリンタドライバや画像編集ソフト等が格納されており、該画像編集ソフトを使ってディスプレイ５１上に描いた図柄を、インクジェット式印刷装置６０でカラー印刷することが可能なシステムとなっている。インクジェット式印刷装置６０としては、例えば、衣料品などに使用される布帛へのインクジェット印刷が可能な装置を用いることができる。
【００２３】
垂れ房部３１にインクジェット印刷を施す場合、まず、パソコン５０の画像編集ソフトを用いて、房糸部３４にインクジェット印刷する図柄（所定のグラデーション模様を含む図柄）を作成する。又は、パソコン５０のメモリ（図示せず）に格納しておいた前記図柄のデータを読み出す。
【００２４】
次に、インクジェット式印刷装置６０の図示しないプラテン（被印刷体を載置するためのもの）上に印刷処理を施す房糸部３４をセットする。すなわち、プラテンの所定の位置に、房糸部３４を帯状に広げて撚り糸３３どうしが重ならないように整列させた状態に載置して、房糸部３４がずれないように位置固定する。
【００２５】
該セット後、印刷開始操作を行うと、房糸部３４がセットされたプラテンが、印刷開始位置へ摺動しながら移動し、印刷開始位置に到達すると、図示しない印字ヘッドのノズルから所定のインクが房糸部３４上に吐出され、パソコン５０で指定された図柄の印刷が開始される。
【００２６】
房糸部３４の片面の印刷を行った後、裏面の印刷を行うべく、房糸部３４を裏返して、プラテンの所定の位置（両面の図柄が一致するように設定された位置）にセットする。該セット後、印刷開始操作を行うと、片面側と同様の図柄の印刷が開始される。両面の印刷後、必要に応じてインクの定着処理などを施す。
【００２７】
次に、印刷後の房糸部３４の芯糸３２が設けられた一辺を、組紐１１が取り付けられた止め具２１の括れ部２３に巻き付け、必要に応じて接着剤などを用いて固着して、飾り房１０が完成する。
【００２８】
上記実施の形態（１）に係る飾り房１０によれば、房糸部３４を帯状に広げた状態の両面に、インクジェット式印刷装置６０によりグラデーション模様を含む図柄が印刷されて、撚り糸３３の外周にグラデーション模様の着色が施されているものを垂れ房部３１に用いているので、低コストで、色柄の変化に富み、美しい色の階調を持たせた柄が、垂れ房部３１に奇麗に表現された飾り房を提供することができる。
【００２９】
また、前記グラデーション模様が房糸部３４の両面で一致しているので、３６０度どの方向からでも、また、垂れ房部３１が揺れた状態であっても奥行き感のある綺麗なグラデーション模様（複数の色の階調（濃淡）を持たせた柄）を見せることができ、意匠性を高めることができる。
【００３０】
なお、上記実施の形態（１）では、房糸部３４にインクジェット印刷される図柄として、グラデーション模様を含む図柄の場合について説明したが、別の実施の形態では、房糸部３４に印刷される図柄として、パソコン５０の画像編集ソフトで作成され得る種々の絵柄模様を含む図柄や、グラデーション模様と絵柄模様とを組み合わせた図柄などを採用することができる。
【００３１】
図４は、実施の形態（２）に係る飾り房の垂れ房部を示した正面図である。また、図５（ａ）〜（ｃ）は、実施の形態（２）に係る飾り房における垂れ房部の取り付け構造を説明するための図である。
【００３２】
実施の形態（１）では、房糸部３４の両面にグラデーション模様を含む図柄が印刷され、房糸部３４の芯糸３２側を、止め具２１の括れ部２３に巻き付けて固着された構成となっているが、実施の形態（２）では、房糸部３４Ａの両面に文字及び絵柄模様を含む図柄が線対称に印刷され、該図柄が印刷された房糸部３４Ａを対称軸で折り返し重ねた状態のまま、止め具２１の括れ部２３に巻き付けて固着されている点が相違している。垂れ房部３１Ａを除いて図１に示した飾り房１０と同様であるため、垂れ房部には異なる符号を付し、その他の構成部品の説明をここでは省略する。
【００３３】
また、実施の形態（２）に係る飾り房１０Ａの垂れ房部３１Ａに印刷を施すために使用する印刷システムは、図３で説明したものと同じシステムを利用することができるので、その説明をここでは省略する。
【００３４】
垂れ房部３１Ａは、図５（ａ）にも示しているように、芯糸３２に所定長さの撚り糸３３が多数往復編成されて形成された房糸部３４Ａから構成されている。図５（ａ）に示した房糸部３４Ａを帯状に広げた状態の各面（両面）に、上記したインクジェット式印刷装置６０により所定の図柄（この場合、線対称に描かれた文字及び絵柄模様を含む図柄）がインクジェット印刷され、各撚り糸３３の外周に着色が施されている。インクジェット印刷により、撚り糸３３表面の凹凸部分や側面の丸みを帯びた部分にもインクを略均一に付着・浸透させることが可能となっている。
【００３５】
垂れ房部３１Ａにインクジェット印刷を施す場合、まず、パソコン５０の画像編集ソフトを用いて、房糸部３４Ａにインクジェット印刷する図柄（線対称に描かれた文字及び絵柄模様を含む図柄）を作成する。又は、パソコン５０のメモリ（図示せず）に格納しておいた前記図柄のデータを読み出す。
【００３６】
次に、インクジェット式印刷装置６０の図示しないプラテン（被印刷体を載置するためのもの）上に印刷処理を施す房糸部３４Ａをセットする。すなわち、プラテンの所定の位置に、房糸部３４Ａを帯状に広げて撚り糸３３どうしが重ならないように整列させた状態に載置して、房糸部３４Ａがずれないように位置固定する。
【００３７】
該セット後、印刷開始操作を行うと、房糸部３４Ａがセットされたプラテンが、印刷開始位置へ摺動しながら移動し、印刷開始位置に到達すると、図示しない印字ヘッドのノズルから所定のインクが房糸部３４Ａ上に吐出され、パソコン５０で指定された前記図柄の印刷が開始される。
【００３８】
房糸部３４Ａの片面の印刷を行った後、裏面の印刷を行うべく、房糸部３４Ａを裏返して、プラテンの所定の位置（両面の図柄が一致するように設定された位置）にセットする。該セット後、印刷開始操作を行うと、片面側と同様の図柄の印刷が開始される。両面の印刷後、必要に応じてインクの定着処理を施す。
【００３９】
印刷後の房糸部３４Ａの芯糸３２が設けられた一辺を、対称軸Ｌ（図５（ａ））で折り返し重ねた状態にする（図５（ｂ））。このとき文字等の位置が略一致する（重なり合う）ように適宜調整を行う。
【００４０】
折り返して重ねられた状態の房糸部３４Ａの前記一辺を、組紐１１が取り付けられた止め具２１の括れ部２３に巻き付け（図５（ｃ））、必要に応じて接着剤などを用いて固着して、飾り房１０Ａが完成する。
【００４１】
上記実施の形態（２）に係る飾り房１０Ａによれば、帯状に広げた状態の房糸部３４Ａに印刷された図柄が、線対称に描かれた文字及び絵柄模様を含む図柄であり、該図柄が印刷された房糸部３４を対称軸Ｌで折り返し重ねた状態で、止め具２１に保持されているので、同じ図柄を一致させた状態で重ね合わせることができ、垂れ房部３１Ａが揺れた状態であっても前記図柄に含まれる文字や絵柄模様の形が大きく崩れることなく、文字等の認識がしやすい垂れ房部を備えた飾り房を提供することができる。
【００４２】
なお、上記実施の形態（２）では、線対称に描かれた文字や絵柄模様を含む図柄が房糸部３４Ａに両面印刷され、該印刷がなされた房糸部３４Ａを対称軸Ｌで折り返し重ねた状態のものを止め具２１に巻き付けて固着した形態について説明したが、別の実施の形態では、例えば、房糸部に文字、絵柄模様、又は文字及び絵柄模様を含む図柄を線対称に描くのではなく、同一の文字、絵柄模様、又は文字及び絵柄模様を並列に配置して描かれた図柄を両面で一致させるように印刷し、該並列に配置して描かれた各図柄が重ね合わさるように、房糸部の芯糸側を止め具２１に２周以上巻き付けて固着する形態とすることもできる。
【００４３】
また、上記実施の形態（１）では、グラデーション模様を含む図柄が両面に印刷された房糸部３４の芯糸３２側の一辺を止め具２１の括れ部２３に巻き付けて固着させる形態について説明したが、実施の形態（２）と同様に、房糸部３４を対称軸で折り返し重ねた状態のまま、止め具２１の括れ部２３に巻き付けて固着させる形態としてもよい。
【符号の説明】
【００４４】
１０、１０Ａ  飾り房
１１  組紐
２１  止め具
３１、３１Ａ  垂れ房部
３２  芯糸
３３  撚り糸
３４、３４Ａ  房糸部
【図３】
0003153198.tif 000003
【図１】
0003153198.tif 000004
【図２】
0003153198.tif 000005
【図４】
0003153198.tif 000006
【図５】
0003153198.tif 000007